(57)【要約】【課題】ＩＣインレットラベルを被着体から強制的に剥がす際に、そのＩＣインレットラベルが一旦使用したものであることを示すとともに、ＩＣインレットラベルが破損していない状態で被着体から剥がすことを可能にするＩＣインレットラベルを提供する【解決手段】基材１１０には、ＩＣモジュール１１１の外側に形成されたセンサーライン１１２と、基材の切断を励起する切断励起線１１３と、ＩＣモジュールとセンサーラインとの間に形成され、基材の切断の進行を阻止する切断阻止線１１４と、が形成されている。【選択図】図２
2008134761.tif 000002
【特許請求の範囲】
【請求項１】
基材と、前記基材上に形成されたＩＣモジュールと、からなるＩＣインレットと、
ラベル上紙と、
前記ＩＣインレットと前記ラベル上紙とを相互に接着させる接着層と、
からなるＩＣインレットラベルにおいて、
前記基材には、
前記ＩＣモジュールの外側に形成されたセンサーラインと、
切断線と、前記切断線が形成されていない非切断領域とからなり、前記センサーラインに向かって前記基材の切断を進行させる切断励起線と、
前記ＩＣモジュールと前記センサーラインとの間に形成され、前記基材の切断の進行を阻止する切断阻止線と、
が形成されていることを特徴とするＩＣインレットラベル。
【請求項２】
基材と、前記基材上に形成されたＩＣモジュールと、からなるＩＣインレットと、
ラベル上紙と、
前記ＩＣインレットと前記ラベル上紙とを相互に接着させる接着層と、
からなるＩＣインレットラベルにおいて、
前記基材には、
前記ＩＣモジュールの外側に形成され、前記基材の切断の進行を阻止する切断阻止線と、
前記切断阻止線に対して前記ＩＣモジュールとは反対側に形成され、前記切断阻止線に対して直交する成分と前記切断阻止線に対して平行な成分とを有する第一センサーラインと、
前記切断阻止線に対して前記ＩＣモジュールとは反対側に形成され、前記切断阻止線に対して直交する成分と前記切断阻止線に対して平行な成分とを有する第二センサーラインと、
切断線と、前記切断線が形成されていない非切断領域とからなり、前記第一センサーライン及び第二センサーラインの少なくとも何れか一方に向かって前記基材の切断を進行させる切断励起線と、
が形成されており、
前記第一センサーラインと前記第二センサーラインとは相互に対称に配置され、
前記切断励起線は前記第一センサーラインと前記第二センサーラインとの間に形成されていることを特徴とするＩＣインレットラベル。
【請求項３】
前記第一センサーライン及び前記第二センサーラインはＬ字型の形状をなすものであることを特徴とする請求項２に記載のＩＣインレットラベル。
【請求項４】
前記基材は複数の切断励起線を備えており、前記複数の切断励起線のうちの少なくとも一つが前記センサーラインに向かって前記基材の切断を進行させるものであることを特徴とする請求項１乃至３の何れか一項に記載のＩＣインレットラベル。
【請求項５】
基材と、前記基材上に形成されたＩＣモジュールと、からなるＩＣインレットと、
ラベル上紙と、
前記ＩＣインレットと前記ラベル上紙とを相互に接着させる接着層と、
からなるＩＣインレットラベルにおいて、
前記基材には、
切断線と、前記切断線が形成されていない非切断領域とからなり、前記非切断領域を始点として前記基材の切断を進行させる切断励起線と、
前記切断励起線を囲んで形成されたセンサーラインと、
が形成されており、
前記基材の外縁は前記センサーラインに沿って形成されていることを特徴とするＩＣインレットラベル。
【請求項６】
基材と、前記基材上に形成されたＩＣモジュールと、からなるＩＣインレットと、
ラベル上紙と、
前記ＩＣインレットと前記ラベル上紙とを相互に接着させる第一接着層と、
前記ＩＣインレットを被着体に接着させる第二接着層と、
からなるＩＣインレットラベルにおいて、
前記第二接着層は、前記ＩＣインレットと前記被着体との間に接着剤を充填し得る空間が形成されるように、前記ＩＣインレットと前記被着体との間において、部分的に形成されていることを特徴とするＩＣインレットラベル。
【請求項７】
前記第二接着層は前記ＩＣインレットの少なくとも外周縁に沿って形成されていることを特徴とする請求項６に記載のＩＣインレットラベル。
【発明の詳細な説明】
【技術分野】
【０００１】
本発明は、非接触でデータの送受信を行うＩＣインレットが表面上に形成されているＩＣインレットラベルに関する。
【背景技術】
【０００２】
ＩＣインレットが表面上に形成されているＩＣインレットラベルは多くの用途に使用されており、多くの場合、使用後には廃棄される。ただし、ＩＣインレットには個人情報、製品情報その他の重要情報が格納されているため、ＩＣインレットの廃棄に際しては、これらの重要情報の漏洩を防止することが必要となっている。このため、重要情報の漏洩防止のための方法が種々提案されている。
【０００３】
その一例として、特開２００５−１０７８１３号公報（特許文献１）に提案されている方法を以下に説明する。
【０００４】
一般に、ＩＣインレットは、ＩＣチップと、このＩＣチップに接続されるアンテナとから構成されている。
【０００５】
また、多くの場合、ＩＣインレットラベルは被着体に貼り付けられて使用される。このため、ＩＣインレットラベルを廃棄する際には、ＩＣインレットラベルを被着体から強制的に剥がすことが必要である。
【０００６】
特許文献１に記載されている方法は、ＩＣインレットラベルを被着体から強制的に剥がす際に、アンテナを破損させることにより、ＩＣインレットの再利用を不可能にし、上述の重要情報の漏洩を防止するものである。
【０００７】
図１４（Ａ）は特許文献１に係るＩＣインレットラベル１１の平面図、図１４（Ｂ）は図１４（Ａ）のＡ−Ａ線における断面図である。
【０００８】
図１４（Ｂ）に示すように、ＩＣインレットラベル１１は、ラベル上紙１２と、ラベル上紙１２の一面（図１４（Ｂ）では下面）上に形成された第１粘着層１４と、第２粘着層１５と、第１粘着層１４と第２粘着層１５との間に挟まれたＩＣインレット１３と、第２粘着層１５に貼られた剥離紙１８と、から構成されている。
【０００９】
剥離紙１８は、剥離基材１７と、剥離基材１７上に形成された剥離剤１６とからなっている。
【００１０】
ラベル上紙１２の他面（図１４（Ｂ）では上面）には、各種情報が印刷されている。
【００１１】
図１５（Ａ）はＩＣインレット１３の平面図、図１５（Ｂ）は第１粘着層１４の平面図である。
【００１２】
図１５（Ａ）に示すように、ＩＣインレット１３は、例えば透明フィルムからなる基材２３と、基材２３上に形成されたＩＣモジュール２１と、から構成されている。
【００１３】
ＩＣモジュール２１は、アンテナ３１と、アンテナ３１の両端子間に接続されたＩＣチップ３２と、から構成されている。アンテナ３１の両端子間には絶縁樹脂３３が形成されており、この絶縁樹脂３３上にリードラインを形成することにより、ＩＣチップ３２がアンテナ３１の両端子間に接続されるようにしている。
【００１４】
基材２３には、ＩＣモジュール２１の外側において、ＩＣモジュール２１に向かう方向に開放された複数の切り込み部２２が形成されている。
【００１５】
また、図１５（Ｂ）に示すように、第１粘着層１４には、切り込み部２２に対応して、粘着剤が塗布されていない粘着剤未塗装領域１４Ａが形成されている。図１４（Ａ）は、第１粘着層１４を介在させてラベル上紙１２とＩＣインレット１３とを相互に固着させた状態を示したものである。
【００１６】
図１６は、ＩＣインレットラベル１１を被着体６１に貼り付けた後、強制的に剥離する状況を示す斜視図である。
【００１７】
ＩＣインレットラベル１１は、剥離紙１８を取り外した後、第２粘着層１５を介して、被着体６１に貼り付けられる。ＩＣインレットラベル１１が被着体６１に貼り付けられた状態では、切り込み部２２においては、粘着剤未塗装領域１４Ａの存在により、被着体６１への接着力がラベル上紙１２との接着力よりも大きくなっている。
【００１８】
このため、ＩＣインレットラベル１１を被着体６１から強制的に剥がそうとすると、基材２３の切り込み部２２が第２粘着層１５を介して被着体６１上に貼り付いたまま残存する一方、粘着剤未塗装領域１４Ａ以外の領域においては基材２３は第１粘着層１４に接着しているため、ＩＣインレットラベル１１を被着体６１から剥がすにつれて、基材２３が切り込み部２２の開放側の方向に引き裂かれることとなる。この結果、基材２３とともにアンテナ３１の一部３４（図１６参照）が切断される。
【００１９】
このように、特許文献１に記載されたＩＣインレットラベル１１によれば、ＩＣインレットラベル１１を被着体６１から強制的に剥がす際にアンテナ３１も基材２３とともに破断されるので、ＩＣインレットラベル１１の再利用が不可能となり、ＩＣチップ３２に記憶されている各種情報の漏洩を防止することができる。
【特許文献１】特開２００５−１０７８１３号公報（図１５、４）
【発明の開示】
【発明が解決しようとする課題】
【００２０】
近年では、省資源の立場から、ＩＣインレットラベルの再利用も試みられている。ＩＣインレットラベルを再利用するためには、ＩＣインレットラベルが廃棄される際に、ＩＣチップ及びアンテナの双方が破損されていない状態でなければならない。
【００２１】
しかしながら、上述の特許文献１に記載された方法によれば、アンテナ３１は基材２３とともに部分的に引き裂かれてしまうため、以後のＩＣインレットラベル１１の再利用は不可能となる。
【００２２】
本発明は、このような従来のＩＣインレットラベルにおける問題点に鑑みてなされたものであり、ＩＣインレットラベルを被着体から強制的に剥がす際に、そのＩＣインレットラベルが一旦使用したものであることを示すとともに、ＩＣインレットラベルが破損していない状態で被着体から剥がすことを可能にするＩＣインレットラベルを提供することを目的とする。
【課題を解決するための手段】
【００２３】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００２４】
上記の目的を達成するため、本発明は、基材（１１０）と、前記基材（１１０）上に形成されたＩＣモジュール（１１１）と、からなるＩＣインレット（１０１）と、ラベル上紙（１１２）と、前記ＩＣインレット（１０１）と前記ラベル上紙（１１２）とを相互に接着させる接着層（１０３）と、からなるＩＣインレットラベル（１００）において、前記基材（１１０）には、前記ＩＣモジュール（１１１）の外側に形成されたセンサーライン（１１２）と、切断線（１１３ａ）と、前記切断線（１１３ａ）が形成されていない非切断領域（１１３ｂ）とからなり、前記センサーライン（１１２）に向かって前記基材（１１０）の切断を進行させる切断励起線（１１３）と、前記ＩＣモジュール（１１１）と前記センサーライン（１１２）との間に形成され、前記基材（１１０）の切断の進行を阻止する切断阻止線（１１４）と、が形成されていることを特徴とするＩＣインレットラベル（１００）を提供する。
【００２５】
さらに、本発明は、基材（１１０）と、前記基材（１１０）上に形成されたＩＣモジュール（１１１）と、からなるＩＣインレット（１０１）と、ラベル上紙（１１２）と、前記ＩＣインレット（１０１）と前記ラベル上紙（１１２）とを相互に接着させる接着層（１０３）と、からなるＩＣインレットラベル（２００）において、前記基材（１１０）には、前記ＩＣモジュール（１１１）の外側に形成され、前記基材（１１０）の切断の進行を阻止する切断阻止線（１１４）と、前記切断阻止線（１１４）に対して前記ＩＣモジュール（１１１）とは反対側に形成され、前記切断阻止線（１１４）に対して直交する成分と前記切断阻止線（１１４）に対して平行な成分とを有する第一センサーライン（１１２Ａ）と、前記切断阻止線（１１４）に対して前記ＩＣモジュール（１１１）とは反対側に形成され、前記切断阻止線（１１４）に対して直交する成分と前記切断阻止線（１１４）に対して平行な成分とを有する第二センサーライン（１１２Ｂ）と、切断線（１１３ａ）と、前記切断線（１１３ａ）が形成されていない非切断領域（１１３ｂ）とからなり、前記第一センサーライン（１１２Ａ）及び第二センサーライン（１１２Ｂ）の少なくとも何れか一方に向かって前記基材（１１０）の切断を進行させる切断励起線（１１３）と、が形成されており、前記第一センサーライン（１１２Ａ）と前記第二センサーライン（１１２Ｂ）とは相互に対称に配置され、前記切断励起線（１１３）は前記第一センサーライン（１１２Ａ）と前記第二センサーライン（１１２Ｂ）との間に形成されていることを特徴とするＩＣインレットラベル（２００）を提供する。
【００２６】
例えば、前記第一センサーライン（１１２Ａ）及び前記第二センサーライン（１１２Ｂ）はＬ字型の形状をなす。
【００２７】
前記基材（１１０）は複数の切断励起線（１１３）を備えることが可能である。この場合、前記複数の切断励起線（１１３）のうちの少なくとも一つが前記センサーライン（１１２、１１２Ａ、１１２Ｂ）に向かって前記基材（１１０）の切断を進行させる。
【００２８】
さらに、本発明は、基材（１１０）と、前記基材（１１０）上に形成されたＩＣモジュール（１１１）と、からなるＩＣインレット（１０１）と、ラベル上紙（１１２）と、前記ＩＣインレット（１０１）と前記ラベル上紙（１１２）とを相互に接着させる接着層（１０３）と、からなるＩＣインレットラベル（３００）において、前記基材（１１０）には、切断線と、前記切断線が形成されていない非切断領域とからなり、前記非切断領域を始点として前記基材（１１０）の切断を進行させる切断励起線（１１３）と、前記切断励起線（１１３）を囲んで形成されたセンサーライン（３０１）と、が形成されており、前記基材（１１０）の外縁は前記センサーライン（３０１）に沿って形成されていることを特徴とするＩＣインレットラベル（３００）を提供する。
【００２９】
さらに、本発明は、基材（１１０）と、前記基材（１１０）上に形成されたＩＣモジュール（１１１）と、からなるＩＣインレット（１０１、２０１、３０１、４０１）と、ラベル上紙（１１２）と、前記ＩＣインレット（１０１、２０１、３０１、４０１）と前記ラベル上紙（１１２）とを相互に接着させる第一接着層（１０３）と、前記ＩＣインレット（１０１、２０１、３０１、４０１）を被着体に接着させる第二接着層（１０４）と、からなるＩＣインレットラベル（４００）において、前記第二接着層（１０４）は、前記ＩＣインレット（１０１、２０１、３０１、４０１）と前記被着体との間に接着剤を充填し得る空間が（４０５）形成されるように、前記ＩＣインレット（１０１、２０１、３０１、４０１）と前記被着体との間において、部分的に形成されていることを特徴とするＩＣインレットラベル（４００）を提供する。
【００３０】
前記第二接着層（１０４）は前記ＩＣインレット（１０１、２０１、３０１、４０１）の少なくとも外周縁に沿って形成されていることが好ましい。
【発明の効果】
【００３１】
本発明に係るＩＣインレットラベルによれば、ＩＣインレットラベルを被着体から強制的に剥がすときであっても、従来のＩＣインレットラベルとは異なり、アンテナを切断することなく、ＩＣインレットラベルを被着体から剥がすことが可能である。
【００３２】
さらに、ＩＣインレットラベルを被着体から剥がす際に、センサーラインが破断するので、センサーラインが破断しているＩＣインレットラベルは既に使用されているものであることがわかる。
【発明を実施するための最良の形態】
【００３３】
（第一の実施形態）
図１は、本発明の第一の実施形態に係るＩＣインレットラベル１００の断面図（後述する図２のＢ−Ｂ線における断面図）である。
【００３４】
図１に示すように、本実施形態に係るＩＣインレットラベル１００は、ＩＣインレット１０１と、ラベル上紙１０２と、ＩＣインレット１０１とラベル上紙１０２とを相互に接着させる第一接着層１０３と、剥離紙１０５と、ＩＣインレット１０１の下面（ＩＣインレット１０１が第一接着層１０３と接する面とは反対側の面）と剥離紙１０５とを剥離可能に接着する第二接着層１０４と、から構成されている。
【００３５】
図２はＩＣインレット１０１の平面図である。
【００３６】
ＩＣインレット１０１は、例えば透明フィルムからなる基材１１０と、基材１１０上に形成されたＩＣモジュール１１１と、から構成されている。
【００３７】
ＩＣモジュール１１１は、ＩＣチップ１２１と、ＩＣチップ１２１を中心として左右対称に位置する三角形状の二つのアンテナ１２２と、二つのアンテナ１２２を相互に接続する接続線１２３と、から構成されている。ＩＣモジュール１１１は、図１５（Ａ）に示したＩＣモジュール２１と同様の機能を有するものである。
【００３８】
基材１１０の表面上には、ＩＣモジュール１１１の一側面においてＩＣモジュール１１１の全長にわたるセンサーライン１１２が形成されている。
【００３９】
センサーライン１１２は、例えば、金属を蒸着することにより、あるいは、インクで印刷することにより、形成される。
【００４０】
さらに、基材１１０には、センサーライン１１２に関してＩＣモジュール１１１とは反対側に４個の切断励起線１１３が形成されている。
【００４１】
４個の切断励起線１１３の各々は、半楕円形の切断線１１３ａと、切断線１１３ａが形成されていない領域である非切断領域１１３ｂと、からなる。
【００４２】
後述するように、切断励起線１１３を始点として基材１１０の切断が開始される。具体的には、４個の切断励起線１１３の各々においては、半楕円形の切断線１１３ａの頂点から非切断領域１１３ｂに向かう方向に基材１１０の切断が開始される。
【００４３】
半楕円形の切断線１１３ａの頂点から非切断領域１１３ｂに向かう方向は４個の切断励起線１１３の各々において何れとも異なっている。例えば、図２の一番左側に位置する切断励起線１１３においては非切断領域１１３ｂは右斜め上４５度の方向を向いており、図２の左から２番目の切断励起線１１３においては非切断領域１１３ｂは左斜め下４５度の方向を向いており、図２の左から３番目の切断励起線１１３においては非切断領域１１３ｂは左斜め上４５度の方向を向いており、図２の一番右側に位置する切断励起線１１３においては非切断領域１１３ｂは右斜め下４５度の方向を向いている。
【００４４】
このように、半楕円形の切断線１１３ａの頂点から非切断領域１１３ｂに向かう方向が４個の切断励起線１１３の各々において全て異なっているため、切断励起線１１３を始点とする基材１１０の切断は基材１１０のあらゆる方向に向かって進行する。
【００４５】
ＩＣモジュール１１１とセンサーライン１１２との間には、基材１１０の切断の進行を阻止する切断阻止線１４が形成されている。
【００４６】
センサーライン１１２は、その両端において、切断阻止線１１４を迂回して延びる接続線１１２ａを介してＩＣチップ１２１に接続されている。
【００４７】
図３は第一接着層１０３の平面図である。
【００４８】
図３に示すように、第一接着層１０３には、非接着性領域１１５（斜線の領域）として接着層が形成されていない領域が存在しており、第一接着層１０３とＩＣインレット１０１とを重ね合わせたときに、非接着性領域１１５は切断励起線１１３、センサーライン１１２及び切断阻止線１１４を覆うようになっている。すなわち、第一接着層１０３とＩＣインレット１０１とを重ね合わせたときに、非接着性領域１１５は図２の破線１１５ａで囲まれた領域を覆う。
【００４９】
図４は、ＩＣインレットラベル１００を被着体（図示せず。図１６に示した被着体６１と同様のもの）に貼り付けた後、強制的に剥離した後の状況を示す斜視図である。
【００５０】
ＩＣインレットラベル１００は、剥離紙１０５を取り外した後、第二接着層１０４を介して、被着体に貼り付けられる。なお、第二接着層１０４と被着体との間の接着力は第二接着層１０４とＩＣインレット１０１との間の接着力よりも大きいものとする。このため、ＩＣインレットラベル１００を被着体から強制的に剥がすと、第二接着層１０４は被着体に貼り付いたまま残存し、ＩＣインレット１０１、第一接着層１０３及びラベル上紙１０２だけが剥がれる。
【００５１】
ＩＣインレットラベル１００を被着体から強制的に剥がすとき、基材１１０には、剥がす方向と同一方向に剪断力が作用する。この剪断力は、剪断力が作用する方向と同一の方向に延びる切断励起線１１３、あるいは、剪断力が作用する方向に最も近い方向に延びる切断励起線１１３に作用する。
【００５２】
ここで、剪断力が作用する方向と同一の方向に延びる切断励起線１１３、あるいは、剪断力が作用する方向に最も近い方向に延びる切断励起線１１３が図２に示した４個の切断励起線１１３のうちの左側から２番目の切断励起線１１３であるとすると、図４に示すように、基材１１０は、その切断励起線１１３における切断線１１３ａの頂点から非切断領域１１３ｂに向かう方向において、破断される。
【００５３】
図４に示すように、切断線１１３ａの端部（あるいは、非切断領域１１３ｂ）から延びる基材１１０の破断線１２０はセンサーライン１１２を通過し、すなわち、センサーライン１１２をも破断し、さらに、延びる。
【００５４】
基材１１０には、ＩＣモジュール１１１とセンサーライン１１２との間に、切断阻止線１１４ｂが形成されている。この切断阻止線１１４は切り込みから形成されている。このため、センサーライン１１２を通過して延びてきた破断線１２０は、切断阻止線１１４において、停止する。すなわち、破断線１２０は切断阻止線１１４を越えて延びることはない。
【００５５】
このため、図１４乃至図１６に示した従来のＩＣインレットラベル１１とは異なり、センサーライン１１２の内側に位置するＩＣモジュール１１１が切断されることはない。
【００５６】
以上のように、第一の実施形態に係るＩＣインレットラベル１００によれば、ＩＣインレットラベル１００を被着体から強制的に剥がすときであっても、ＩＣモジュール１１１を切断することなく、ＩＣインレットラベル１００を被着体から剥がすことができる。
【００５７】
さらに、ＩＣインレットラベル１００を被着体から剥がす際に、センサーライン１１２が破断するので、センサーライン１１２が破断しているＩＣインレットラベル１００は既に使用されているものであることがわかる。
【００５８】
なお、第一の実施形態に係るＩＣインレットラベル１００の構造は上述の構造に限定されるものではなく、種々の変更が可能である。
【００５９】
例えば、本実施形態においては、４個の切断励起線１１３が形成されているが、切断励起線１１３の個数は４には限定されない。任意の個数を選定することができる。仮に、ＩＣインレットラベル１００を被着体から強制的に剥がすときに切断励起線１１３を始点として生じる基材１１０の切断線１２０が確実にセンサーライン１１２に向かうものである場合には、１個のみの切断励起線１１３を形成することも可能である。
【００６０】
ただし、切断励起線１１３の個数が多いほど、センサーライン１１２に向かう切断線１２０を生じさせることができる確率が大きくなるので、切断励起線１１３の個数は多いほど好ましい。ただし、各切断励起線１１３の非切断領域１１３ｂの向きは全て異なることが好ましい。
【００６１】
また、各切断励起線１１３における非切断領域１１３ｂの向きも任意である。何れか一つがセンサーライン１１２に向かう切断線１２０を生じさせるものであれば、各切断励起線１１３における非切断領域１１３ｂの向きを任意に設定することができる。
【００６２】
また、切断励起線１１３の形状は本実施形態において示した形状には限定されない。ＩＣインレットラベル１００を被着体から強制的に剥がすときに切断励起線１１３を始点として切断線１２０が生じるような形状であれば、どのような形状をも選択することができる。例えば、三角形、半円、矩形状などの形状を選択することができる。
【００６３】
図５は、本実施形態に係るＩＣインレットラベル１００の使用状況の一例を示す斜視図である。
【００６４】
ＩＣインレットラベル１００はパチンコ台の一部品６２（図１６に示した被着体６１に対応するもの）に貼られている。ＩＣインレットラベル１００のＩＣモジュール１１１、センサーライン１１２及び切断阻止線１１４は部品６２の上面６２ａ上に、切断励起線１１３は部品６２の側面６２ｂ上にそれぞれ配置されている。
【００６５】
部品６２の上面６２ａの直上には他の部品が配置されており、正面からは部品の上面６２ａは見えず、側面６２ｂのみが見えるようになっている。このため、ＩＣインレットラベル１００を部品６２から剥がすためには、必ず、切断励起線１１３を含む領域からＩＣインレットラベル１００を剥がさなければならない。
【００６６】
ＩＣインレットラベル１００を切断励起線１１３を含む領域から剥がすと、切断励起線１１３を始点として切断線１２０（図４参照）が生じ、センサーライン１１２が破断する。このため、ＩＣインレットラベル１００を部品６２に再び接着させたとしても、ＩＣインレットラベル１００を一旦は部品６２から剥がしたことが判明し、部品６２に対する不正が行われたおそれを推測することができる。
【００６７】
このように、本実施形態に係るＩＣインレットラベル１００は封印用のシールとしての機能を発揮することも可能である。
【００６８】
（第二の実施形態）
図６は、本発明の第二の実施形態に係るＩＣインレットラベル２００におけるＩＣインレット２０１の平面図である。
【００６９】
第二の実施形態に係るＩＣインレットラベル２００は、第一の実施形態に係るＩＣインレットラベル１００と比較して、切断励起線及び切断阻止線の形状が異なっている。
【００７０】
本実施形態に係るＩＣインレットラベル２００においては、センサーライン１１２はそれぞれＬ字型をなしている第一センサーライン１１２Ａと第二センサーライン１１２Ｂとから構成されている。
【００７１】
第一センサーライン１１２Ａは、ＩＣモジュール１１１が延びる方向と同一の方向に延びる短いライン１１２ＡＡと、ライン１１２ＡＡの端部（基材１１０のより内側に位置する端部）においてライン１１２ＡＡと直交し、かつ、ＩＣモジュール１１１から離れる方向に延びる長いライン１１２ＡＢと、からなる。
【００７２】
同様に、第二センサーライン１１２Ｂは、ＩＣモジュール１１１が延びる方向と同一の方向に延びる短いライン１１２ＢＡと、ライン１１２ＢＡの端部（基材１１０のより内側に位置する端部）においてライン１１２ＢＡと直交し、かつ、ＩＣモジュール１１１から離れる方向に延びる長いライン１１２ＢＢと、からなる。
【００７３】
第一センサーライン１１２Ａのライン１１２ＡＢと第二センサーライン１１２Ｂのライン１１２ＢＢとは相互に対向している。すなわち、第一センサーライン１１２Ａと第二センサーライン１１２Ｂとは対称の位置に配置されている。
【００７４】
第一センサーライン１１２Ａのライン１１２ＡＢと第二センサーライン１１２Ｂのライン１１２ＢＢとはそれらの端部（図６の右側端部）においてライン１１２Ｃを介して相互に接続されている。
【００７５】
また、第一センサーライン１１２Ａのライン１１２ＡＡは、その一端において、対応する切断阻止線１１４を迂回して延びる接続線１１２Ｄを介してＩＣチップ１２１に接続されている。同様に、第二センサーライン１１２Ｂのライン１１２ＢＡは、その一端において、対応する切断阻止線１１４を迂回して延びる接続線１１２Ｄを介してＩＣチップ１２１に接続されている。
【００７６】
切断励起線１１３は、第一センサーライン１１２Ａのライン１１２ＡＢと第二センサーライン１１２Ｂのライン１１２ＢＢとの間において、第一センサーライン１１２Ａのライン１１２ＡＢが延びる方向に並列に配置されている。
【００７７】
第一の実施形態に係るＩＣインレットラベル１００においては、切断阻止線１１４は一本の線として形成されていたが、本実施形態においては、一本の線ではなく、分割された２本の線として形成されている。
【００７８】
２つの切断阻止線１１４は、ＩＣモジュール１１１と第一センサーライン１１２Ａのライン１１２ＡＡとの間及びＩＣモジュール１１１と第二センサーライン１１２Ｂのライン１１２ＢＡとの間にそれぞれ形成されている。
【００７９】
各切断阻止線１１４は第一センサーライン１１２Ａのライン１１２ＡＡ及び第二センサーライン１１２Ｂのライン１１２ＢＡと平行である。
【００８０】
さらに、各切断阻止線１１４は、第一センサーライン１１２Ａのライン１１２ＡＡ及び第二センサーライン１１２Ｂのライン１１２ＢＡより長く形成されており、第一センサーライン１１２Ａの１１２ＡＢ及び第二センサーライン１１２Ｂのライン１１２ＢＢを越えて、基材１１０のより内側まで延びている。
【００８１】
本実施形態に係るＩＣインレットラベル２００によっても、第一の実施形態に係るＩＣインレットラベル１００と同様の効果を得ることができる。
【００８２】
なお、本実施形態に係るＩＣインレットラベル２００においては、第一センサーライン１１２Ａ及び第二センサーライン１１２ＢはＬ字型に形成されているが、第一センサーライン１１２Ａ及び第二センサーライン１１２Ｂの形状は必ずしもＬ字型には限定されない。例えば、曲線状に形成することも可能である。切断阻止線１１４に対して直交する成分と切断阻止線１１４に対して平行な成分とを有する形状である限り、第一センサーライン１１２Ａ及び第二センサーライン１１２Ｂは任意の形状を有し得る。
【００８３】
また、本実施形態に係るＩＣインレットラベル２００は２本の切断阻止線１１４を有するが、第一の実施形態に係るＩＣインレットラベル１００と同様の１本の切断阻止線１１４として形成することも可能である。
【００８４】
（第三の実施形態）
図７は、本発明の第三の実施形態に係るＩＣインレットラベル３００におけるＩＣインレット３０１の平面図である。
【００８５】
図８は図７のＣ−Ｃ線における断面図であり、図９は図７のＤ−Ｄ線における断面図である。
【００８６】
本実施形態に係るＩＣインレットラベル３００においては、第一の実施形態に係るＩＣインレットラベル１００及び第二の実施形態に係るＩＣインレットラベル２００とは異なり、切断阻止線１１４が設けられていない。
【００８７】
本実施形態に係るＩＣインレットラベル３００においては、複数個の切断励起線１１３はＩＣチップ１２３に向かう直線上に配置されており、センサーライン３１０はこれらの切断励起線１１３を囲んで閉じた細長い形状をなし、かつ、ＩＣチップ１２３においてセンサーライン３１０の両端が終端している。
【００８８】
また、第一の実施形態に係るＩＣインレットラベル１００及び第二の実施形態に係るＩＣインレットラベル２００とは異なり、各切断励起線１１３はＩＣチップ１２３に向かう方向に、あるいは、その逆の方向に切断するように形成されている。
【００８９】
さらに、第一の実施形態に係るＩＣインレットラベル１００及び第二の実施形態に係るＩＣインレットラベル２００における基材１１０は矩形形状をなしているが、本実施形態に係るＩＣインレットラベル３００における基材１１０の外縁はセンサーライン３１０に沿って画定されており、センサーライン３１０の周囲の基材１１０の領域はセンサーライン３１０と同様の細長い形状をなしている。
【００９０】
本実施形態に係るＩＣインレットラベル３００によっても、第一の実施形態に係るＩＣインレットラベル１００と同様の効果を得ることができる。
【００９１】
ただし、切断阻止線１１４が設けられていないため、切断励起線１１３を始点とする破断線１２０（図４参照）が切断阻止線１１４により進行を阻止されることはないが、基材１１０がセンサーライン３１０に沿って形成されているため、破断線１２０は基材１１０の外縁において停止する。すなわち、本実施形態に係るＩＣインレットラベル３００においては、基材１１０の外縁が切断阻止線１１４と同様の機能を奏する。
【００９２】
図１０は、本実施形態に係るＩＣインレットラベル３００において、破断線１２０が基材１１０の外縁において停止する状態を示している。
【００９３】
（第四の実施形態）
図１１は、本発明の第四の実施形態に係るＩＣインレットラベル４００におけるＩＣインレット４０１の平面図である。
【００９４】
図１２は図１１のＥ−Ｅ線における断面図であり、図１３は図１１のＦ−Ｆ線における断面図である。
【００９５】
本実施形態に係るＩＣインレットラベル４００におけるＩＣインレット４０１は、図７に示した第三の実施形態に係るＩＣインレットラベル３００におけるＩＣインレット３０１と同一の構造を有している。ただし、本実施形態におけるＩＣインレット４０１は三角形状の破断線１１３を有している。
【００９６】
本実施形態に係るＩＣインレットラベル４００は、図７乃至図９に示した第三の実施形態に係るＩＣインレットラベル３００と比較して、断面形状が異なっている。
【００９７】
図１２及び図１３に示すように、本実施形態に係るＩＣインレットラベル４００は、ＩＣインレット４０１と、ラベル上紙１０２と、ＩＣインレット４０１とラベル上紙１０２とを相互に接着させる第一接着層１０３と、剥離紙１０５と、ＩＣインレット４０１の下面（ＩＣインレット４０１が第一接着層１０３と接する面とは反対側の面）と剥離紙１０５とを剥離可能に接着する第二接着層１０４と、から構成されている。
【００９８】
本実施形態に係るＩＣインレットラベル４００においては、第二接着層１０４は、中央に空間４０５が形成されるように、ＩＣインレットラベル４００の長手方向の両側にのみ形成されている。空間４０５は、図１１に示すように、２本の相互に平行なセンサーライン３１０の間の幅とほぼ同じ幅を有しており、ＩＣインレットラベル４００の長手方向の全長にわたって、形成されている。
【００９９】
すなわち、第二接着層１０４は、ＩＣインレット４０１の全面にわたって形成されているものではなく、空間４０５を形成できる範囲内において、ＩＣインレット４０１の全領域に対して部分的な領域に形成されている。
【０１００】
また、第一接着層１０３も第二接着層１０４と同様に形成されている。
【０１０１】
本実施形態に係るＩＣインレットラベル４００によっても、第一の実施形態に係るＩＣインレットラベル１００と同様の効果を得ることができるが、本実施形態に係るＩＣインレットラベル４００の使用方法は第一の実施形態に係るＩＣインレットラベル１００の使用方法とは、以下のように、異なっている。
【０１０２】
本実施形態に係るＩＣインレットラベル４００を被着体（例えば、パチンコ台の内部の部位）に貼り付ける場合には、剥離紙１０５を剥がした後、空間４０５に接着剤を充填したうえで、被着体に貼り付ける。従って、ＩＣインレットラベル４００は第二接着層１０４及び空間４０５に充填された接着剤の双方を介して被着体に貼り付けられる。
【０１０３】
このように、空間４０５に接着剤を充填させるのは以下の理由による。
【０１０４】
近年では、パチンコ台その他の遊戯機器全般に対する不正行為が横行している。このため、ＩＣインレットラベルが剥がされたことを検知するだけでは不十分な場合も多く、ＩＣインレットラベル自体を剥がすことができないようにすることが求められていた。
【０１０５】
第一乃至第三の実施形態に係るＩＣインレットラベル１００、２００、３００においては、各ＩＣインレット１０１、２０１、３０１は第二接着層１０４のみを介して被着体に貼り付けられていたが、シール剥がし剤を用いることにより、ＩＣインレット１０１、２０１、３０１を被着体から剥がすことが可能であることがあった。
【０１０６】
このため、本実施形態に係るＩＣインレットラベル４００のように、ＩＣインレット４０１と被着体との間に空間４０５を形成し、その空間４０５に接着剤を充填させ、接着剤及び第二接着層１０４を介して、ＩＣインレット４０１を被着体に貼り付けることにより、ＩＣインレット４０１を被着体から剥がすことを防止することができる。
【０１０７】
接着剤としては、例えば、エポキシ系の接着剤が接着力に優れており好ましい。
【０１０８】
例えば、接着剤としては、住友スリーエム製の二液性エポキシ系接着剤を用いることができる。この二液性エポキシ系接着剤は主剤と硬化剤とからなり、使用時にそれらを混合して対象物に塗布するものであるが、硬化が早く、かつ、接着性にも優れている。
【０１０９】
なお、本実施形態に係るＩＣインレットラベル４００においては、ＩＣインレットとして、図１１に示したＩＣインレット４０１を用いたが、ＩＣインレット４０１に代えて、第一乃至第三の実施形態における各ＩＣインレット１０１、２０１、３０１を用いることも可能である。
【０１１０】
また、本実施形態に係るＩＣインレットラベル４００においては、空間４０５は、図１１に示すように、２本の相互に平行なセンサーライン３１０の間の幅とほぼ同じ幅を有しており、ＩＣインレットラベル４００の長手方向の全長にわたって、形成されているが、空間４０５を形成する領域は必ずしもこれには限定されない。ＩＣインレット４０１と被着体とを接着剤を介して接着することができる限りにおいて、任意の大きさの空間４０５を任意の位置に形成することが可能である。
【０１１１】
ただし、空間４０５に充填された接着剤がＩＣインレットラベル４００の外側に漏出しないように、空間４０５を画定する第二接着層１０４はＩＣインレット４０１の少なくとも外周縁に沿って形成されることが好ましい。
【図面の簡単な説明】
【０１１２】
【図１】本発明の第一の実施形態に係るＩＣインレットラベルの断面図である。
【図２】本発明の第一の実施形態におけるＩＣインレットの平面図である。
【図３】本発明の第一の実施形態における第一接着層の平面図である。
【図４】本発明の第一の実施形態に係るＩＣインレットラベルを被着体に貼り付けた後、強制的に剥離した後の状況を示す斜視図である。
【図５】本発明の第一の実施形態に係るＩＣインレットラベルの使用状況の一例を示す斜視図である。
【図６】本発明の第二の実施形態に係るＩＣインレットラベルにおけるＩＣインレットの平面図である。
【図７】本発明の第三の実施形態に係るＩＣインレットラベルにおけるＩＣインレットの平面図である。
【図８】図７のＣ−Ｃ線における断面図である。
【図９】図７のＤ−Ｄ線における断面図である。
【図１０】本発明の第三の実施形態に係るＩＣインレットラベルにおいて、破断線が基材の外縁において停止する状態を示す斜視図である。
【図１１】本発明の第四の実施形態に係るＩＣインレットラベルにおけるＩＣインレットの平面図である。
【図１２】図１１のＥ−Ｅ線における断面図である。
【図１３】図１１のＦ−Ｆ線における断面図である。
【図１４】図１４（Ａ）は特許文献１に係るＩＣインレットラベルの平面図、図１４（Ｂ）は図１４（Ａ）のＡ−Ａ線における断面図である。
【図１５】図１５（Ａ）は特許文献ＩＣインレットの平面図、図１５（Ｂ）は第１粘着層の平面図である。
【図１６】特許文献１に係るＩＣインレットラベルを被着体に貼り付けた後、強制的に剥離する状況を示す斜視図である。
【符号の説明】
【０１１３】
１００  第一の実施形態に係るＩＣインレットラベル
１０１  第一の実施形態におけるＩＣインレット
１０２  ラベル上紙
１０３  第一接着層
１０４  第二接着層
１０５  剥離紙
１１０  基材
１１１  ＩＣモジュール
１１２  センサーライン
１１３  切断励起線
１１４  切断阻止線
１１５  非接着性領域
１２０  破断線
２００  第二の実施形態に係るＩＣインレットラベル
２０１  第二の実施形態におけるＩＣインレット
３００  第三の実施形態に係るＩＣインレットラベル
３０１  第三の実施形態におけるＩＣインレット
３１０  センサーライン
４００  第四の実施形態に係るＩＣインレットラベル
４０１  第四の実施形態におけるＩＣインレット
４０５  空間
【図１】
2008134761.tif 000003
【図２】
2008134761.tif 000004
【図３】
2008134761.tif 000005
【図４】
2008134761.tif 000006
【図５】
2008134761.tif 000007
【図６】
2008134761.tif 000008
【図７】
2008134761.tif 000009
【図８】
2008134761.tif 000010
【図９】
2008134761.tif 000011
【図１０】
2008134761.tif 000012
【図１１】
2008134761.tif 000013
【図１２】
2008134761.tif 000014
【図１３】
2008134761.tif 000015
【図１４】
2008134761.tif 000016
【図１５】
2008134761.tif 000017
【図１６】
2008134761.tif 000018